Podtech/llm-jp-corpus-v4-ja_patent huggingface dataset:
(57)【要約】      （修正有）【課題】キャミソールの内部に、身体を補正する引締め部材を、キャミソールと一体に設けて、着用時に、素早く、簡単に着用でき、しかも、着用後は、ごわごわした感じがなく、すっきりとさせる引締め部材付きキャミソールを提供する。【解決手段】キャミソール本体１と、キャミソール内部に装着した引締め部材２との組み合わせからなり、引締め部材２は、ファスナー３を上下方向に設けた開閉自在な筒状とし、引締め部材２は、上部の両端をキャミソール１の内側に、それぞれ側部を二箇所、縫着し、引締め部材２の前側引締め部材２ａの下端Ｘは、緩いカーブ状に突出して形成し、かつ、前側引締め部材２ａの腹部分には、重合部材４を設けて二重構造とし、後側引締め部材の下端は、緩いカーブ状に、上方に入り込んだ形状とした引締め部材付きキャミソール。【選択図】図１
0003106732.tif 000002
【実用新案登録請求の範囲】
【請求項１】
キャミソール本体（１）と、該キャミソール内部に装着した引締め部材（２）との組み合わせからなり、該引締め部材（２）は、ファスナー（３）を上下方向に設けた開閉自在な筒状とし、該引締め部材（２）は、上部の両端をキャミソール（１）の内側に、それぞれ縫着し、該引締め部材（２）の前側引締め部材（２ａ）の下端（Ｘ）は、緩いカーブ状に突出して形成し、かつ、前側引締め部材（２ａ）の腹部分には、重合部材（４）を設けて、二重構造とし、該後側引締め部材（２ｂ）の下端（Ｙ）は、緩いカーブ状に、上方に入り込んだ形状としたことを特徴とする引締め部材付きキャミソール。
【請求項２】
キャミソール本体（１）と、前・後引締め部材（２ａ）（２ｂ）の素材の色を同色とすることを特徴とする実用新案登録請求の範囲第１項記載の引締め部材付きキャミソール。
【考案の詳細な説明】
【技術分野】
【０００１】
この考案は、引締め部材付きキャミソールに関するものである。
【背景技術】
【０００２】
従来、キャミソールは、インナー（下着）の一種であり、両肩に装着されたひもで吊るして着用するものであり、肩部が露出するよう形成されたものであり、特に、夏期には涼しく、便利なインナーである。
【０００３】
しかし、キャミソールには、タンクトップを兼ねたもの（例えば、特許文献１のようなもの）は存在するが、着用者の身体を補正するという機能はなく、従って、着用者の身体を補正するボディニッパー等の補正下着を着用するとその効果はあるが、衣類をその上に重ね着する必要があるため、ごわつきが感じられるし、苦しいという欠点があった。
【特許文献１】登録実用新案第３１０１１９３号公報
【考案の開示】
【考案が解決しようとする課題】
【０００４】
上記目的を達成するために、この考案はキャミソールの内部に、身体を補正する引締め部材を、キミソールと一体に設けて、着用時に、素早く、簡単に着用でき、しかも、着用後は、ごわごわした感じがなく、すっきりとさせる引締め部材付きキャミソールを開発するものである。
【課題を解決するための手段】
【０００５】
この考案は、インナーである，キャミソールの内部に、身体を補正する下着，即ち，伸縮性を有する素材で構成したウェストを引き締める，引締め部材を、インナーの内部に、インナーと一体に設けることにより、装着を簡単にし、しかも、装着後にはごわごわした感じを取り除こうとするものである。
【考案の効果】
【０００６】
この考案によると、キャミソール本体（１）の内部に、引締め部材（２）を設けており、キャミソール本体（１）を着用すれば、引締め部材（２）も同時に着用でき、また、該引締め部材（２）は、ファスナー（３）により開閉自在に構成しており、着用が簡単であり、該引締め部材（２）で着用者のウェスト等の身体を補正でき、しかも、キャミソール本体（１）と引締め部材（２）は一体に設けており、着心地も見た目にすっきりし、ごわごわした感じがない等の有益なる効果を奏するものである。
【考案を実施するための最良の形態】
【０００７】
そこで、この考案の一実施例を図面に従って詳述すると、キャミソール本体（１）と、該キャミソール内部に装着した引締め部材（２）との組み合わせからなり、該引締め部材（２）は、ファスナー（３）を上下方向に設けた開閉自在な筒状とし、該引締め部材（２）は、上部の両端をキャミソール（１）の内側に、それぞれ側部を二箇所、縫着し、該引締め部材（２）の前側引締め部材（２ａ）の下端（Ｘ）は、緩いカーブ状に突出して形成し、かつ、前側引締め部材（２ａ）の腹部分には、重合部材（４）を設けて二重構造とし、該後側引締め部材（２ｂ）の下端（Ｙ）は、緩いカーブ状に、上方に入り込んだ形状としたことを特徴とする引締め部材付きキャミソールから構成されるものである。
【０００８】
尚、前側引締め部材（２ａ）の腹部分には、重合部材（４）を設けて二重構造とした意図は、下腹部分の締めつけのみ強くするためである。
【０００９】
また、引締め部材（２）の前側引締め部材（２ａ）の下端（Ｘ）を、緩いカーブ状に突出して形成する意図は、下腹までカバーするものである。
【００１０】
さらに、引締め部材（２）の後側引締め部材（２ｂ）の下端（Ｙ）を、緩いカーブ状に、上方に入り込んだ形状とした意図は、ヒップ部分をカットして、まるみをくずさないためである。
【００１１】
そして、この考案における  キャミソール本体（１）と、前・後引締め部材（２ａ）（２ｂ）の素材の色を同色とすること、および前引締め部材（２ａ）の二重構造部も同色にすることも可能である。
【００１２】
また、着用にあたっては、先ず、引締め部材（２）のファスナー（３）を全開した状態で着用し、次に、全開したファスナー（３）を係止して止める。
【００１３】
そして、キャミソール本体（１）と引締め部材（２）との縫着部（５）は、少なくとも３ｃｍ以上の長さをとり、強度をもたすよう構成する。
【図面の簡単な説明】
【００１４】
【図１】この考案の一実施例を示す正面図である。
【図２】この考案の一実施例を示す背面図である。
【図３】この考案の一実施例を示す断面図である。
【符号の説明】
【００１５】
１  キャミソール
２  引締め部材
２ａ  前側引締め部材
２ｂ  後側引締め部材
３  ファスナー
４  重合部
５  縫着部
Ｘ  前側引締め部材の下端部
Ｙ  後側引締め部材の下端部
【図１】
0003106732.tif 000003
【図２】
0003106732.tif 000004
【図３】
0003106732.tif 000005
(57)【要約】【課題】  美術館、博物館等の絵画、彫刻等の展示物に、観賞者が手で触れることを防止することを目的とする。【解決手段】  筒体の上端部に切込みを刻設し、切込みにゴムロープを嵌め、ゴムロープが嵌まった切込み上端をキャップで覆わせるようにしたゴムロープ付支柱とした。【選択図】  図１
0003106703.tif 000002
【実用新案登録請求の範囲】
【請求項１】
筒体の上端部に切込みを刻設し、切込みにゴムロープを嵌め、ゴムロープが嵌まった切込み上端をキャップで覆わせるようにしたゴムロープ付支柱。
【考案の詳細な説明】
【技術分野】
【０００１】
本考案は、美術館、博物館等で絵画、彫刻その他の展示物を展示する際、観賞者が展示物に手で触れることを禁止し、展示物に近づけず観賞者が入ることを許さない結界区域を設けるための支柱、人の誘導、停止等の人の流れの整理に用いられる支柱に関するものである。
【背景技術】
【０００２】
美術館、博物館等では、絵画、彫刻その他の展示物を展示する際、観賞者が展示物に手で触れることを禁止し、展示物に近づけず観賞者が入ることを許さない結界区域を設けている。
【０００３】
結界区域は展示物の大きさによって異なる。展示物の左右の長さによって変化させなければならない。結界用の支柱間は金属製のパイプや棒で連結されており、展示物が変わる度ごとにその長さに合うものに交換しなければならなかった。
【特許文献１】特開２００２−３２７５５４号公報
【考案の開示】
【考案が解決しようとする課題】
【０００４】
展示物の大きさが変わっても、多少の大きさの変更に対して容易に対応できるようにすることが求められる。
【課題を解決するための手段】
【０００５】
そこで、本考案は、上記の事情に鑑み、展示物の大きさが変わっても、多少の大きさの変更に対して容易に対応できるようにすべく、筒体の上端部に切込みを刻設し、切込みにゴムロープを嵌め、ゴムロープが嵌まった切込み上端をキャップで覆わせるようにしたゴムロープ付支柱とした。
【考案の効果】
【０００６】
本考案は、筒体の上端部に切込みを刻設し、切込みにゴムロープを嵌め、ゴムロープが嵌まった切込み上端をキャップで覆わせるようにしたゴムロープ付支柱であるので、展示物の大きさが変わっても、多少の大きさの変更に対して容易に対応できる。
【考案を実施するための最良の形態】
【０００７】
本考案を添付する図面の具体的な実施例に基づいて、以下詳細に説明する。
【０００８】
美術館、博物館等の絵画、彫刻等の展示物の前には、観賞者が展示物に手で触れることを防止するために結界区域を設ける。
【０００９】
図１に示すように、支柱１と支柱１との間にゴムロープ２を架設する。
【００１０】
支柱１は、筒体３と、筒体３に内嵌めする案内筒体４と、それに内嵌したソケット５とソケット５に内嵌めした化粧キャップ６と、筒体３の下端部に装着した連結部材７と、連結部材７に連結した基板８とよりなる。
【００１１】
この図１の支柱１の上端部の拡大図を図２、図３に示す。
【００１２】
筒体３は、丸パイプで、その上端部には切込み１１が円周を９０度等配した位置に刻設してある。
【００１３】
案内筒体４は、図４〜図６に示すように、前記筒体３に圧入して内嵌まりする円筒状の筒体である。
【００１４】
ソケット５は、図７〜図９に示すように、前記案内筒体４に内嵌まりし、その外周にはネジ山１２を刻設して案内筒体４に螺着させ、上部のフランジ１３を案内筒体４の上端面に当接させて位置決めする。また、フランジ１３の対向する箇所に平行面１０・１０を形成して、案内筒体４に螺締可能とする。
【００１５】
化粧キャップ６は、図１０に示すように、円盤状のキャップ１４の中心から位置決め棒１５を突設している。位置決め棒１５の下端部に円環溝１６を刻設し、ここには、図２に示すように、Ｅ型止め輪１７を外嵌めし、その上にワッシャ１８を載置し、このワッシャ１８とソケット５の間で位置決め棒１５にコイルバネ１９を外嵌め縮設する。
【００１６】
図２は、コイルバネ１９の付勢力に抗してキャップ１４を上方へ持ち上げた状態を示しており、筒体３の切込み１１にゴムロープ２のロープ部２０を嵌めた状態で、その後キャップ１４を離すと、コイルバネ１９の付勢力によりキャップ１４は下方に移動し、図３に示す状態になり、ゴムロープ２のロープ部２０が嵌まった切込み１１の上端をキャップ１４で覆う。符号２１はロープ部２０より大径の球体２１で、ゴムロープ２が筒体３より外れないようにしてある。
【００１７】
連結部材７は、フランジ２２より上部を筒体３に圧入する嵌入部２３に、下部をネジ部２４にそれぞれ形成する。ネジ部２４を基板８中央のネジ孔２５に螺締する。基板８の下面にはクッション用のゴム板２６を貼着する。
【００１８】
図１に示すように、支柱１間に架設したゴムロープ２は弾性を有するので、展示物が大きいものに変わって支柱１間の距離が長くなっても、あるいは短くなっても容易に対応できる。支柱１間の距離を長くする必要がある場合は、支柱１間のゴムロープ２を引っ張った状態で使用すればよく、支柱１間の距離が短くなった場合は、支柱１間のゴムロープ２を弛ませて使用すればよい。従来のように、金属製のパイプ、棒であれば、その都度展示物の大きさに対応させて製作する必要はない。本考案であればゴムロープ２を使用するので、展示物の大きさに容易に対応できる。
【００１９】
上記では、結界区域を形成する支柱について述べたが、本考案は、結界区域用の支柱のみならず、人の誘導、停止等の人の流れ整理用の支柱としても用いることができる。
【実施例】
【００２０】
支柱の筒体３は外径１６ｍｍである。
【産業上の利用可能性】
【００２１】
本考案は、美術館、博物館等の絵画、彫刻等の展示物の結界区域用支柱として開発されたが、人の誘導、停止等の人の流れ整理用の支柱として利用することもできる。
【図面の簡単な説明】
【００２２】
【図１】本考案の全体の概要を示す正面図である。
【図２】支柱でゴムロープを支持する前の要部の拡大正面図である。
【図３】支柱でゴムロープを支持した後の要部の拡大正面図である。
【図４】本考案の案内筒体の正面図である。
【図５】図４の側面図である。
【図６】図４の断面図である。
【図７】本考案のソケットの正面図である。
【図８】図７の側面図である。
【図９】図７の断面図である。
【図１０】本考案の化粧キャップの正面図である。
【符号の説明】
【００２３】
３…筒体
１１…切込み
２…ゴムロープ
１４…キャップ
【図１】
0003106703.tif 000003
【図２】
0003106703.tif 000004
【図３】
0003106703.tif 000005
【図４】
0003106703.tif 000006
【図５】
0003106703.tif 000007
【図６】
0003106703.tif 000008
【図７】
0003106703.tif 000009
【図８】
0003106703.tif 000010
【図９】
0003106703.tif 000011
【図１０】
0003106703.tif 000012
(57)【要約】【課題】  ヒューズ製造時に歩留りを高め、不良品を減らすことができるヒューズの構造の提供。【解決手段】  不導電の管体を具え、該管体の両端に半田で金属キャップが組み合わされて内部の可容体と接続されたヒューズにおいて、不導電の管体の側方に排気孔が設けられたことを特徴とする。【選択図】        図２
0003106707.tif 000002
【実用新案登録請求の範囲】
【請求項１】
不導電の管体を具え、該管体の両端に半田で金属キャップが組み合わされて内部の可容体と接続されたヒューズにおいて、不導電の管体の側方に排気孔が設けられたことを特徴とする、ヒューズ。
【考案の詳細な説明】
【技術分野】
【０００１】
本考案は一種のヒューズの構造に係り、特に中央の不導電管体部分に排気孔が増設されて両端の金属キャップを組み合わせる時の、内部の半田が押し出されることによる不良品の形成が防止された、ヒューズに関する。
【背景技術】
【０００２】
周知のヒューズは不導電の管体１を具え、図１中、Ａに示されるように、一端に半田２を利用して金属キャップ３が結合され、並びに内部に可溶体が設けられてもう一端に向けて延伸され、更に半田２’でもう一つの金属キャップ３’が組み合わされてなり、図１中、Ｂ、Ｃに示されるようである。第２の金属キャップ３’が組み合わされる時、半田２’を加熱しなければならず、このため管体１内の温度が高くなり、空気が膨張して外向きに圧迫し、この時、半田２’が押し出され、図１のＤの状況を非常に形成しやすく、一部の半田２’が金属キャップ３’の外側に露出して使用不能なヒューズの不良品を形成する。
【考案の開示】
【考案が解決しようとする課題】
【０００３】
本考案の主要な目的は、周知のヒューズの欠点を解決して良好な品質の製品を獲得することにある。
【課題を解決するための手段】
【０００４】
請求項１の考案は、不導電の管体を具え、該管体の両端に半田で金属キャップが組み合わされて内部の可容体と接続されたヒューズにおいて、不導電の管体の側方に排気孔が設けられたことを特徴とする、ヒューズとしている。
【考案の効果】
【０００５】
本考案の構造設計により、ヒューズ製造時に歩留りを高め、不良品を減らすことができ、ゆえに本考案は実用の目的を達成し、実用新案登録の要件に符合する。
【考案を実施するための最良の形態】
【０００６】
図２から４に示されるように、本考案は、不導電の管体１を具え、その両端に金属キャップ３、３’が組み合わされて内部の可容体４と接続されたヒューズにおいて、不導電の管体１に排気孔１１が設けられたことを特徴とするが、但し、金属キャップ３’が組み合わされた後、該排気孔１１は遮蔽されるのが好ましい。
【０００７】
図５のＡからＤに示されるように、本考案は排気孔１１が設けられたことにより、第２の金属キャップ３’が組み合わされる時に、その内部の空気が加熱された後に効果的に排出され（図５中、Ｃ参照）、金属キャップに結合された内部の半田２’を圧迫することがなく（図５中、Ｄ参照）、これにより良好な品質のヒューズを獲得でき、周知の欠点を克服できる。
【図面の簡単な説明】
【０００８】
【図１】周知のヒューズの組合せの断面順序図である。
【図２】本考案の立体分解図である。
【図３】本考案の立体組合せ図である。
【図４】本考案の組合せ断面図である。
【図５】本考案のヒューズの組合せの断面順序図である。
【符号の説明】
【０００９】
１  管体                １１  排気孔                  ２、２’  半田
３、３’  金属キャップ  ４  可容体
【図１】
0003106707.tif 000003
【図２】
0003106707.tif 000004
【図３】
0003106707.tif 000005
【図４】
0003106707.tif 000006
【図５】
0003106707.tif 000007
(57)【要約】      （修正有）【課題】石材の角欠き破損、大きな研磨音の発生、石材表面に斑を生じさせること、軟質部分を掘り起こして凹みを作ることなどを防止することのできる石材研磨材の新規な構造を提供する。【解決手段】ディスクの一面に表面を平坦な研磨面とする多数の四角軸形をした研磨材を放射状などにて取付けてなる石材表面の回転研磨機において、各研磨材の回転方向の前面に回転方向と反対の後退斜面または緩曲面を設けて、各研磨材の研磨入り角を鈍角にした石材表面の回転研磨機における研磨材の研磨入り角の構造にある。【選択図】図３
0003106426.tif 000002
【実用新案登録請求の範囲】
【請求項１】
ディスクの一面に表面を平坦な研磨面とする多数の四角軸形をした研磨材を放射状などにて取付けてなる石材表面の回転研磨機において、該各研磨材の回転方向の前面に回転方向と反対の後退斜面または緩曲面を設けて、各研磨材の研磨入り角を鈍角にしたことを特徴とする石材表面の回転研磨機における研磨材の研磨入り角の構造。
【考案の詳細な説明】
【技術分野】
【０００１】
この考案は、石材表面の回転研磨機における研磨材の研磨入り角の構造に関するものである。
【背景技術】
【０００２】
ディスク１の一面に放射状などにて多数取付けする四角軸形の研磨材２は図７，図８に示すようにディスク１に対して研磨材２を垂直にて取付けしているので、回転方向の前面の研磨入り角４は直角すなわち９０度であった（特許文献１参照）。
【特許文献１】登録実用新案第３０７７２１１号公報
【考案の開示】
【考案が解決しようとする課題】
【０００３】
しかしながら、研磨入り角４が９０度では、石材Ｓの表面への当りが強すぎて、１．石材の角の欠き破損Ｓ１がしばしば生じて最初から研磨のやり直しが必要となる。２．研磨音が大きく生ずる。３．研磨面に伝わるビレ，振動が起きて石材表面に斑を多く生じさせる。４．深く食い込む研磨が生じて、次工程以下の仕上研磨に悪影響を与える。５．引掻く研磨となることから石材表面より軟質部分ｎを掘り起こして凹みｈを作ることとなる（図８参照）。
【課題を解決するための手段】
【０００４】
本考案は、ディスク１の一面に多数の研磨材２を取付けるに当って、各研磨材の回転方向の前面に回転方向と反対の後退斜面３または緩曲面３ａを設けて、各研磨材２の回転方向の前面の研磨入り角４を９１度以上の鈍角にして、かかる課題を解決するようにしたしたのである。
【考案の効果】
【０００５】
本考案は、ディスクの一面に取付ける各研磨材の回転方向の前面に回転方向と反対の後退斜面または緩曲面を設けて、各研磨材の研磨面２ａの前端である研磨入り角４を従来の９０度から９１度以上の鈍角となるようにしたので、１．石材表面での角乗りが良好となり、従って角を欠き破損することが確実に防止されることになるために、従来生じていた角乗り不良による石材表面の側端角の掻き落とし破損による角立てをするための再研磨が不要になるという効果を生ずる。２．研磨が滑らかとなって研磨音が少なく静かになる。３．研磨面から伝わるビレ，振動が解消して、石材表面の斑が格段に少なくなる。４．深く食い込む研磨にならないので、仕上げの各段階の研磨に順調に進み得ることとなる。５．きつく引掻く研磨からこすり撫でるソフトな研磨になるため、石材表面の軟質部分の掘り起こしが生じない研磨ができる。などの効果を生ずる
【考案を実施するための最良の形態】
【０００６】
本考案は、ディスク１の一面に表面を平坦な研磨面とする多数の四角軸形をした研磨材を放射状などにて取付けてなる石材表面の回転研磨機において、該各研磨材の回転方向の前面に回転方向と反対の後退斜面または緩曲面を設けて、各研磨材の研磨入り角を鈍角にしたのである。かくして回転研磨機を構成して、石材の表面を平面研磨して滑らかで光沢のあるものにする。
【実施例１】
【０００７】
図１乃至図２は、ディスク１の一面に平坦な研磨面２ａを表面に有す四角軸形をした多数の研磨材２を放射状を呈すように接着取付けした状態を示している。各研磨材２は、回転矢印方向の前面に回転方向と反対の後退斜面３を設けて、各研磨材２の研磨面２ａの前端の研磨入り角４を９１度以上の鈍角にて形成するようにしたのである。なお研磨入り角４は緩やかにするほどよいが、研磨材２の研磨面積，摩耗に対する研磨材２の厚みを考慮すると研磨入り角４を１２０〜１５０度程度とする断面視菱形が研磨材２の好ましい形態である。
【０００８】
以上のように形成したディスク１は図２に示すように研磨材２を外側（下側）に向けて回転研磨機５の回転軸５ａの先部に交換自在にネジ取付けされて、石材Ｓ表面の荒削りから仕上げに至るまでの各段階の石材表面の回転研磨機５を構成するものとなる。図３（ａ）（ｂ）に示すように研磨入り角４が鈍角で角乗りが良好となるため、石材Ｓの角を欠き損ずることが防止され、図３（ｃ）に示すように、押えつけるように研磨するために石材表面の例えば雲母のような軟質部分ｎを掘り起こすことなく滑らかに研磨することができ、滑らかな研磨によって研磨音も減少し、ビレや振動も少なくなって均一な研磨により斑も生じないこととなる。
【実施例２】
【０００９】
図４は研磨材２を螺旋形に配置した他の例を示すものであるが、要は研磨材２の前面に回転方向と反対の後退斜面３を設けて研磨入り角４を鈍角に形成するようにすれば、各種の配置例が可能となる。
【実施例３】
【００１０】
図５は研磨材２間を平坦に埋めるためにディスク１面にプラスチック材６を充填固着した例を示すもので、６ａは研磨水逃がし用の溝である。
【実施例４】
【００１１】
図６は後退斜面３部分を弯曲させて緩曲面３ａにした例を示すもので、その他は後退斜面の例と同じである。
【産業上の利用可能性】
【００１２】
本考案の研磨材の研磨入り角の構造は以上のようにして、石材の荒削りから緻密な仕上研磨まで利用することができ、角欠き破損の発生を防止することにより研磨のやり直しを解消することができて研磨作業の精度・能率を著しく向上することができるものとなる。
【図面の簡単な説明】
【００１３】
【図１】ディスクの研磨材取付面図
【図２】同、回転研磨機に取付けた状態の正面図
【図３】石材を研磨する使用状態を示す部分拡大図
【図４】研磨材を螺旋形に配置した例を示す研磨材取付面図
【図５】研磨材間を平坦に埋めるためのブラスチック材を充填した例を示す図で、（ｂ）は（ａ）におけるＡ−Ａ線拡大端面図
【図６】後退斜面部分を緩曲面に形成した例を示す部分拡大図
【図７】従来例を示す正面図
【図８】同、使用時の作用を示す部分拡大断面図
【符号の説明】
【００１４】
１はディスク
２は研磨材
２ａは研磨面
３は後退斜面
３ａは緩曲面
４は研磨入り角
５は研磨機
５ａは回転軸
６はプラスチック材
６ａは溝
【図１】
0003106426.tif 000003
【図２】
0003106426.tif 000004
【図３】
0003106426.tif 000005
【図４】
0003106426.tif 000006
【図５】
0003106426.tif 000007
【図６】
0003106426.tif 000008
【図７】
0003106426.tif 000009
【図８】
0003106426.tif 000010
(57)【要約】【目的】甲の部分を紐で締め付けて使用するの登山やハイキング等に使用される登山靴は、紐の残余部分を二重にして結ぶか、或いは足首に巻きつけて使用しているのが、歩行中、木の根や他方の靴のフックに引っ掛けて思わぬ事故になっている例があり、係る事故防止に役立てようとするものである。【構成】  甲の部分を紐で締付け使用する登山靴において、靴の甲の適宜個所に、締付け紐の残余部分を束ねまとめて甲に密着させる小片バンドを取付けた事を特徴とし、少なくとも該バンドの外側の取付け固定方法が、着脱自在に設けている登山靴。【選択図】  図２
0003106456.tif 000002
【実用新案登録請求の範囲】
【請求項１】
甲の部分を紐で締付け使用する登山靴において、
甲１の適宜個所に、締付け紐２の残余部分３を束ねまとめて甲に密着させる小片バンド４を取付けた事を特徴とする登山靴。
【請求項２】
甲に設けられる小片バント４の少なくとも外側の取付けが、着脱自在であることを特徴とする請求項１記載の登山靴。
【考案の詳細な説明】
【技術分野】
【０００１】  本考案は、登山やハイキング等に使用される登山靴に係り、特に、締付け紐の残余部分の処理に関するものである。
【背景技術】
【０００２】  登山やハイキング等に使用される通常の登山靴は、甲の部分を紐で締付けて使用するものである。したがって、この紐の残余部分の処理は、二重にして結ぶか或いは足首に巻きつけて使用しているのが現状である。
そこで、二重に結んで使用していると、歩行中、リング状を呈する部分を木の根や、反対側の靴のフックに引っ掛けたりして、思わぬ事故になっている例がある。
【考案が解決しようとする課題】
【０００３】  本考案は前記説明の事故例に鑑み、締付け紐の残余部分を束ねまとめて甲の部分に密着させて、事故防止に役立てようとするものである。
【課題を解決するための手段】
【０００４】  本考案は前記目的を達成するため、甲の部分を紐で締付け使用する登山靴において甲の適宜個所に、締付け紐の残余部分を束ねまとめて甲に密着させるバンドを取付けたものである
【考案を実施するための最良の形態】
【０００６】  本考案実施の形態を実施例に基づき、図１及び図２を参照して説明する。
甲の部分を紐で締付け使用する登山靴において、図１は締付けを終え、ループ状を呈した状態で残余部分を二重に結び終えたことを示していて、通常この状態で使用されている。
しかしながら、この考案では、甲の適宜部位に小片バンド４が取付けられている。【０００７】  図２は、ループ状を呈した状態で残余部分を二重に結び終えた締付け紐２を、前記小片バンド４で束ねまとめて甲に密着させた状態を示している。この小片バンド４は、両端にベルクロテープ（登録商標）を備え、両端を着脱自在に取付けるか、或いは片端は縫付けて固定し、他端にはベルクロテープ（登録商標）を設けて着脱自在に取付ける等、何れの方法が採用されても差し支えないが、少なくとも外側の取付けは着脱自在であることが望ましい。
しかし１番重要な事は、結び終えた締付け紐を、甲の部位に設けた小片バンドで束ねまとめて、甲に密着させた状態で保持できるようにすることである。
【考案の効果】
【０００８】  本考案は以上説明のように、甲の部分を紐で締付け使用する登山靴において、甲の適宜個所に、小片バンドを取付け構成された事を特徴とする登山靴であるから、靴締付け紐の残余部分を束ねまとめて甲に密着させることができるので、ループ状を呈する残余部分が、歩行中、他方靴のフックや木の根に引っかけて転倒する等の思わぬ事故の発生を未然に防止できる効果を奏する。
また、該小片バンドは両端にベルクロテープ（登録商標）を使用すれば、紐の残余長の状態に合せ、その取付け位置を変えて使用する事も可能となり、利用効果は更に大きい。
その上、少なくとも外側の取付けが着脱自在であればその動作は行ない易い。
【図面の簡単な説明】
【図１】甲の部分を紐で締付け、紐の残余部分をループ状にしている状態を説明する図である。
【図２】紐の残余部分を、小片バンドで束ねまとめて甲に密着させた状態を説明する図である。
【符号の説明】
１靴の甲    ２締付け紐    ３残余紐    ４小片バンド    ５ループ状    ６フック
【図１】
0003106456.tif 000003
【図２】
0003106456.tif 000004
(57)【要約】      （修正有）【課題】昆布を食べることで体の外形と肌を美しくきれいにする。【解決手段】昆布を予めコラーゲンペプチドを配合してある調味液に漬けた昆布を適当な大きさに裁断した「昆布Ａ」とコラーゲンペプチド入り「調味料Ａ」とを混合して、「昆布Ａ」の表面に「調味料Ａ」の被膜が得られるようにした昆布加工品。【選択図】図２
0003106460.tif 000002
【実用新案登録請求の範囲】
【請求項１】
昆布１にコラーゲン２を配合した食品
【考案の詳細な説明】
【考案の詳細な説明】
【考案が解決しようとする課題】
【０００１】  従来、昆布はその風味と味覚を味わうためあるいは食物繊維・ミネラルの宝庫として美容のため食されているがこれはダイエットのみの外形だけの効果を期待するものであり、その表面の肌を美しくきれいにする具体的効果は期待出来ていなかった。
【課題を解決するための手段】
【０００２】  上記目的を達成するため、肌の角質を構成するコラーゲンペプチドを昆布に配合した。
【考案の効果】
【０００３】  本考案は昆布にコラーゲンペプチドを配合することで昆布を食したことによりダイエットの効果と肌を美しくする効果の両方を同時に得るようにした。
【図面の簡単な説明】
【図１】  昆布の断面図である
【図２】  昆布の表面図である
【符号の説明】
１昆布
２コラーゲンペプチド
【図１】
0003106460.tif 000003
【図２】
0003106460.tif 000004
【手続補正書】
【提出日】平成16年4月5日(2004.4.5)
【手続補正１】
【補正対象書類名】実用新案登録請求の範囲
【補正対象項目名】全文
【補正方法】変更
【補正の内容】
【実用新案登録請求の範囲】
【請求項１】
調味液（酢等）にコラーゲンペプチドを配合した「調味液Ａ」を製造し、一次調味として昆布を「調味液Ａ」に漬け込んだ後、適当な大きさに裁断し「昆布Ａ」を製造する。  それとは別に調味料（甘味料等）にコラーゲンペプチドを配合した「調味料Ａ」を製造する。  二次調味として「昆布Ａ」を混ぜながら「調味料Ａ」をふりかけ、結果出来上った「昆布Ａ」の表面に「調味料Ａ」が薄い層で覆うように塗した昆布加工品
【手続補正書】
【提出日】平成16年8月2日(2004.8.2)
【手続補正１】
【補正対象書類名】実用新案登録請求の範囲
【補正対象項目名】全文
【補正方法】変更
【補正の内容】
【実用新案登録請求の範囲】
【請求項１】
調味液にコラーゲンペプチドを配合した「調味液Ａ」を製造し、一次調味として昆布を「調味液Ａ」に漬け込んだ後、適当な大きさに裁断した仕掛品「昆布Ａ」を用意し、それとは別にあらかじめ調味料にコラーゲンペプチドを配合した「調味料Ａ」を用意、二次調味として「昆布Ａ」を混ぜながら「調味料Ａ」をふりかけ、結果出来上った「昆布Ａ」の表面に「調味料Ａ」が薄い層で覆うように塗した昆布加工品
(57)【要約】【課題】  縦・横・サイズを問わずカードケース同士を容易に連結及び切り離しでき、多くのカードケースの一括ディスプレイを可能にし、また連結したまま簡単に折りたたみ、ノート型に収納できる低コストのカードケースを提供する事を目的とする。【解決手段】  従来のカードケースに連結及び切り離し用レールを設けることにより複数ファイルの連結及び切り離しが可能となる。また、カードケースとレールの間をナイロン又はポリエチレン、ポリプロピレンのような柔軟性のあるもので製作することにより、連結したままで折りたたんでの収納も可能となる。【選択図】  図面１【実用新案登録請求の範囲】
【請求項１】
外周部に連結及び切り離し用レールを設けることにより、縦・横・サイズを問わず自由に連結及び切り離しができることを特徴としたカードケース。
【請求項２】
カードケースと連結及び切り離し用レールの間をナイロン又はポリエチレン、ポリプロピレンのような柔軟性のあるもので製作することにより、連結したまま折りたたみ収納ができることを特徴としたカードケース。
【考案の詳細な説明】
【考案の開示】
【考案が解決しようとする課題】
【０００１】従来のカードケースは、カードケース同士を連結及び切り離したり、ノート型に収納したりすることは構造上不可能であった。しかも画鋲やフックでのディスプレイができなかったため掲示用として使用されることは少なかった。
【背景技術】
【０００２】従来のカードケースは１枚１枚の単品ものとして使用され、掲示用としても不向きである。
【課題を解決するための手段】
【０００３】請求項１に記載の考案は、従来のカードケースの外周部にレールを設けることにより目的を達成する。
【０００４】図面１のように外周部ＡにはＡ１、外周部ＢにはＢ１、外周部ＣにはＣ１のレールを設ける。
【０００５】外周部ＡもしくはＢが外周部Ｃと結合する事によりカードケース同士の縦・横・サイズを問わない連結及び切り離しを可能にする。
【０００６】請求項２に記載の考案は、図面１中Ｅ部をナイロン又はポリエチレン、ポリプロピレンのような柔軟性のあるもので製作することにより目的を達成する。
【０００７】ａ部が曲がることで図面２のように連結したままの折りたたみ収納が可能となる。
【０００７】外周部ＡとＢの両端を図面４中Ｄのように加工することによりカードケースを紐などでディスプレイすることができる。
【考案の効果】
【０００８】縦・横・サイズを問わずカードケースを自由に連結及び切り離しすることができる。
【０００９】図面３のようにＡ１もしくはＢ１と連結可能なバーＢ２とＣ１と連結可能なバーＣ２を組み合わせることにより、ディスプレイ用ボードを使用することなく、より多くのカードケースを一括ディスプレイできる。
【００１０】カードケースを連結したまま簡単に折りたたみ、またノート型に収納できる。
【００１１】カードケースに紐などを掛けることにより、画鋲もしくはフック１つで簡単にディスプレイできる。
【００１２】従来のカードケースに連結及び切り離し用レールＡ１・Ｂ１・Ｃ１を追加するだけで良いため、低コストでの製作が可能である。
【産業上の利用可能性】
【００１３】工場・屋外など紙を掲示すると湿気・油分・風などで不都合が生じる場所、また黒板・ホワイトボードなどのディスレイ設備がない場所でのカードケースによるディスプレイが可能となる。【００１４】店舗などのディスプレイにも紙を劣化させることなく、アレンジ豊富に美しくディスプレイできる。【００１５】ＣＤなどの記録用媒体や絵葉書・写真に応用すれば、差し替えも容易にでき、美しく機能的なディスプレイケースまたは収納ケースとなる。
【図面の簡単な説明】
【００１６】【図１】全体図、連結及び切り離し用レール断面図
【図２】カードケースを連結した状態での収納方法を示す斜視図
【図３】ディスプレイ用バーを使用したディスプレイの一例を示す正面図
【図４】紐を使ったディスプレイの一例を示す正面図
【符号の説明】
Ａ    連結及び切り離し用凸型レールＢ    連結及び切り離し用凸型レールＣ    連結及び切り離し用凹型レールＤ    ＡもしくはＢの両端形状Ｅ    凹型レールＣレール柔軟部分Ａ１  凸型レールＡの断面Ｂ１  凸型レールＢの断面Ｃ１  凹型レールＣの断面Ｂ２  凹型ディスプレイ用レールＣ２  凸型ディスプレイ用レール
【図１】
0003106458.tif 000002
【図２】
0003106458.tif 000003
【図３】
0003106458.tif 000004
【図４】
0003106458.tif 000005
(57)【要約】【課題】  包装おしぼりの提供コストを軽減する。【解決手段】  包装袋Ｓ１に手拭きＰを収容した包装おしぼりにおいて、包装袋に広告表示Ａを施す。【選択図】      図１
0003106455.tif 000002
【実用新案登録請求の範囲】
【請求項１】
包装袋に手拭きを収容した包装おしぼりにおいて、包装袋に広告表示を施したことを特徴とする包装おしぼり。
【考案の詳細な説明】
【技術分野】
【０００１】
この発明は包装袋に収容されたおしぼりに関する。
【背景技術】
【０００２】
例えば、紙や不織布、織布などからなる手拭きを平たく折り畳んで湿潤させたものを、包装袋に収容して封止したものが包装おしぼりとして公知である。
【考案の開示】
【考案が解決しようとする課題】
【０００３】
前記の包装おしぼりは、タオル地からなる布製のおしぼりに代わって、「紙おしぼり」と通称される使い捨てのおしぼりとして飲食店で客に提供されたり、持ち帰りの弁当などに付帯して提供されたりする用途が通常である。この場合、事業者側は提供する本来の役務や商品に対する付加価値を高めるためにサービスとしてこの種のおしぼりを提供しているのであるが、その費用負担は決して馬鹿にならなかった。包装おしぼり自体は、価格競争の中、製造会杜の合理化努力と自動化で、低価格を実現してはいるが、それでも長引く不況の中、事業者の費用負担には厳しいものがあり、客が要求しないと提供してくれない店も増えている。
【０００４】
現在の包装おしぼりは、事業者側がおしぼりの費用を負担しているため、経営環境によってはコストダウンを図るためにおしぼりの提供を行っていない店もあるが、客側ではおしぼりの提供を望んでいる場合が多く、サービスの低下につながりかねない問題を孕んでいた。
【課題を解決するための手段】
【０００５】
この考案は以上の従来技術の問題点を解消した包装おしぼりを提供することを目的としたものであり、包装袋に広告表示を施したことを特徴とする。
【考案の効果】
【０００６】
この考案によればおしぼりの包装袋を、企業や商品等の広告媒体に利用することにより、広告主は新しい有望な広告媒体として利用することができる。消費者へ直接頒布する広告の手段として、従来、新聞の折り込み広告やチラシが利用されていたが、インターネツト等の益々の発達やチラシの氾濫で、その効果が薄れてきていたが、広告主に新しい有望な広告手段を提供することで、包装おしぼりがより有効利用されることになる。広告主が新商品や訴えたいサービス等の広告を施した包装おしぼりは、飲食店や小売店等で配られ、必ず使用する前に見てもらえるので、広告主のメリットは大きいといえる。
【０００７】
一方、包装おしぼりを広告媒体に利用することにより、従来、事業者が負担していた費用を広告代で楠うことが可能となり、コストの問題から包装おしぼりの提供を諦めていた事業者に包装おしぼりの導入の途を開くことになり、付加価値の向上はもとより衛生の向上にもつながるという公共的な効果も期待できる。
【考案を実施するための最良の形態】
【０００８】
以下、この考案の具体的実施例を添付図面に基づいて説明する。図３はこの考案の包装おしぼりの製袋前の状態を示す図である。図中符号Ｓは包装袋に製袋されるシート材であり、この実施例ではヒートシール可能なプラスチックフィルムを想定している。上記シート材Ｓは合掌状の接合部１、１を有すると共に折り目２、２により表面と裏面の２面構成の筒状に折曲され、ヒートシール手段Ｈにより上記接合部１、１及び筒の開口端３、３が接合されることによりピロー状の包装袋Ｓ１に製袋される。
【０００９】
図中符号Ｐは手拭きであり、紙や不織布、織布などからなるシート材を平たく折り畳んで湿潤させたものが、前記の製袋の工程中において包装袋Ｓ１中に収容される。
【００１０】
図中符号Ａは広告表示であり、包装袋Ｓ１の表裏面に施される。広告表示としては例えば、某飲料メーカーが、新商品の発売に際し、包装おしぼりの包装袋に美しい写真付の印刷を施し、販売店や飲食店にノベルティーとして配布し、来店者全員に提供してもらう。又、コンビニエンスストア向けには、屋号を裏面に印刷し、おにぎり・サンドイッチ・弁当の購入者に提供してもらう。
【図面の簡単な説明】
【００１１】
【図１】この発明の包装おしぼりの製袋後の平面視図。
【図２】同上、裏面図。
【図３】同上、包装おしぼりの製袋前の斜視図
【符号の説明】
【００１２】
Ｓ            シート材
Ｐ            手拭き
Ａ            広告表示
１            合掌状の接合部
４            易開封手段
【図１】
0003106455.tif 000003
【図２】
0003106455.tif 000004
【図３】
0003106455.tif 000005
(57)【要約】      （修正有）【課題】磁石同士を安定した浮遊状態にすることができる磁石を用いた浮遊実験教材を提供する。【解決手段】透明アクリル管１を囲むように磁石２を配置し、別の磁石３を透明アクリル管１内に入れる事で、安定した磁石３の浮遊状態が得られる。これにより、浮遊状態の磁石を、実際に指で押したりすることで、その不思議さを容易に実体験できるようになる。【選択図】図１
0003106457.tif 000002
【実用新案登録請求の範囲】
【請求項１】
透明アクリル管１を囲むように磁石２を配置し、別のもう一つの磁石３を透明アクリル管１内で浮遊させる実験教材。
【考案の詳細な説明】
【考案の詳細な説明】
【考案が解決しようとする課題】
【０００１】  従来、磁石同士を用いて互いの反発または吸引力を利用した浮遊実験の教材はあったが、いずれもその安定性の点で問題があった。
【課題を解決するための手段】
【０００２】  上記目的を達成するために、透明アクリル管１を囲むように磁石２を配置し別のもう一つの磁石３を透明アクリル管１内に入れる事で、安定した浮遊状態を可能とした。
【考案の効果】
【０００３】  浮遊状態の磁石を、実際に指で押したりすることで、その不思議さを容易に実体験できる。
【図面の簡単な説明】
【図１】本教材の斜視図である。
【図２】本教材の平面図である。
【符号の説明】
１  透明アクリル管
２  透明アクリル管を囲む磁石
３  ２とは別の磁石
【図１】
0003106457.tif 000003
【図２】
0003106457.tif 000004
(57)【要約】【課題】精米済みの白米は、酸化作用により時間の経過と共にまずくなってしまうが、家庭などで少量ずつ消費する場合には、これといった対策はなく、一般消費者は精米直後の様な旨い米飯を手軽に食することはなかなか出来なかった。【構成】少なくとも一回で使い切れる量の精米済みの白米２を脱酸素剤３と共に高気密性合成樹脂製の袋本体１に分包封入し、この袋本体１を複数個集合せしめて消費者に提供する様にした。【選択図】        図１
0003106495.tif 000002
【実用新案登録請求の範囲】
【請求項１】
少なくとも一回で使い切れる量の精米済みの白米２を脱酸素剤３と共に高気密性合成樹脂製の袋本体１に分包封入し、この袋本体１を複数個集合せしめたことを特徴とする炊飯用白米包装体。
【請求項２】
袋本体１に一合分の白米２が封入されていることを特徴とする請求項１記載の炊飯用白米包装体。
【考案の詳細な説明】
【技術分野】
【０００１】
この考案は炊飯用白米包装体、詳しくは精米直後の旨い米飯を何時でも手軽に味わうことが出来る炊飯用白米包装体に関するものである。
【背景技術】
【０００２】
一般に、家庭などにおいては、数キログラム乃至十数キログラム単位で袋詰めされた精米済みの白米を購入し、開封した袋から適宜取り出して炊飯することが行われている。
【特許文献１】なし
【非特許文献１】なし
【考案の開示】
【考案が解決しようとする課題】
【０００３】
米飯は精米直後の白米を炊いたものが最も旨く、精米したときから時間が経過する程、まずくなるのは周知の通りである。これは精米された白米の酸化現象に起因しており、酸化は精米された直後から進行するので、精米から時間が経過する程、酸化が進んでまずくなるのは当然である。一度に大量に消費される業務用の米飯なら、炊飯直前に必要な量だけ精米することも可能であるが、家庭用の場合は、その様にすることは事実上不可能であり、精米直後の白米を用いた場合の様な旨い米飯を家庭において味わうのは、実際上なかなか困難であった。
【０００４】
本考案者は、米飯に関する上記従来の問題点を解決すべく鋭意研究を行った結果、酸化を抑制し、家庭でも旨い米飯をいつでも手軽に味わうことが出来る便利な炊飯用白米包装体を開発することに成功し、本考案としてここに提案するものである。
【課題を解決するための手段】
【０００５】
少なくとも一回で使い切れる量の精米済みの白米２を脱酸素剤３と共に高気密性合成樹脂製の袋本体１に分包封入し、この袋本体１を複数個集合せしめて消費者に提供することにより、上記課題を解決せんとするものである。
【実施例】
【０００６】
図１はこの考案に係る炊飯用白米包装体の実施例の一部を切欠いて描いた斜視図である。図中１はこの考案に係る炊飯用白米包装体の本体であり、ポリエチレンなどの高気密性の合成樹脂フィルムを素材としており、少なくとも一回で使い切れる量の精米済みの白米２を収容できる容量を有している。なお、この実施例においては、本体１の収容容量を一合としたが、必ずしも一合に限る必要はなく、少なくとも一回で使い切れるだけの分量が収容される様になっていれば良いのである。そして、この本体１内には精米済みの白米２と共に脱酸素剤３が入れられており、その開口部４は高周波溶着その他適宜手段によって封止されている。図中５は封止部を表わす。
【０００７】
そして、この様に脱酸素剤３と共に精米済みの白米２が分包封入された本体１は、多数集合せしめられ、図２に示す様に箱体６や、図３に示す様に袋体７に詰められて商品として消費者に提供される様になっている。この実施例は上記の通りの構成を有しており、気密状態を保っている本体１内には、脱酸素剤３が封入されているので、この脱酸素剤３の作用により、本体１の内部は脱酸素状態に保たれ、本体１内に収容されている精米済みの白米２の酸化は抑制されている。従って、本体１内に封入されている白米２は、いつまでも精米直後の状態を保ち続けられることになる。
【０００８】
なお、白米２を取り出す為、本体１を破ってしまえば、本体１内に外部から空気が入り込むことになるので、それまで保持されていた脱酸素状態は解消されてしまうが、本体１内には一回で使い切れるだけの量しか分包されていないので、本体１を破ってしまった後の酸化については、特に配慮する必要がない。なお、炊き上げる米飯の量は、本体１の使用個数によって調整すれば良く、例えば、１合分ずつ白米２を分包している本体１の場合、２合炊きのときには本体１を２袋、４合炊きのときには４袋という様に、適宜本体１の個数によって調整すれば良い。
【０００９】
この様に、本体１は原則として１回限りで使い切ってしまうので、未使用の本体１は、常に脱酸素状態に保持され、その中に収容されている白米２の酸化は抑制される。又、本体１には一合分という様に、定量の白米２が収容されているので、炊飯時における米の分量の把握が容易で、水加減などを間違えるおそれも少なくなる。
【００１０】
以上述べた如く、この考案に係る炊飯用白米包装体においては、酸化が抑制され、いつまでも精米直後の旨い米飯をいつでも手軽に味わうことが出来るので、米の需要を喚起させる効果を有し、極めて高い実用的価値を有するものである。
【図面の簡単な説明】
【００１１】
【図１】この考案に係る炊飯用白米包装体の一実施例の一部を切欠いて描いた斜視図。
【図２】図１に示す炊飯用白米包装体の本体１を箱体６に詰め合せた状態の斜視図。
【図３】同じく、図１に示す炊飯用白米包装体の本体１を袋体７に詰め合せた状態の斜視図。
【符号の説明】
【００１２】
１    本体
２    精米済みの白米
３    脱酸素剤
４    開口部
５    封止部
６    箱体
７    袋体
【図１】
0003106495.tif 000003
【図２】
0003106495.tif 000004
【図３】
0003106495.tif 000005
(57)【要約】      （修正有） 【課題】一見しては印鑑ケースと判明できない新規な印鑑ケースを提供すると共に携帯にも便利であり、しかも多用途の印鑑ケースを提供する。【解決手段】グリップエンド２形状を有する野球のバットに近似させた形状からなり、先端に開口部４を有する印鑑収納空所３を設けたケース本体１と、上記開口部４を開閉可能に閉じるキャップ６とからなる。さらにキャップ６の内側に朱肉７を設けてあるとよいし、グリップエンド２の表面及びキャップ６の表面に印鑑を彫刻可能としてある。【選択図】図２
0003106494.tif 000002
【実用新案登録請求の範囲】
【請求項１】
グリップエンド形状を有する野球のバットに近似させた形状からなり、先端に開口部を有する印鑑収納空所を設けたケース本体と、上記開口部を開閉可能に閉じるキャップとからなる印鑑ケース。
【請求項２】
上記キャップの内側に朱肉を設けてある上記請求項１に記載の印鑑ケース。
【請求項３】
上記ケース本体のグリップエンド表面に印鑑を彫刻可能としてある上記請求項１又は２に記載の印鑑ケース。
【請求項４】
上記キャップの表面に印鑑を彫刻可能としてある上記請求項１乃至３の何れかに記載の印鑑ケース。
【考案の詳細な説明】
【技術分野】
【０００１】
本考案は、一見しては印鑑ケースと判明しない印鑑ケースに関する。
【背景技術】
【０００２】
従来の印鑑ケースは、印鑑を収容するケース本体と蓋体とをヒンジ結合して開閉自在としたものが多かった。
【考案の開示】
【考案が解決しようとする課題】
【０００３】
従来の印鑑ケースは、上記下通り一見して印鑑ケースであることが判明するから、盗難にあい易く、悪用され易かった。
本考案は、上記の点に鑑み、一見しては印鑑ケースと判明できない新規な印鑑ケースを提供すると共に携帯にも便利であり、しかも多用途の印鑑ケースを提供するものである。
【課題を解決するための手段】
【０００４】
そのために、本考案印鑑ケースは、グリップエンド形状を有する野球のバットに近似させた形状からなり、先端に開口部を有する印鑑収納空所を設けたケース本体と、上記開口部を開閉可能に閉じるキャップとからなるものである。
【０００５】
上記キャップの内側に朱肉を設けてあるとよい。
上記ケース本体のグリップエンド表面に印鑑を彫刻可能としてある。
上記キャップの表面に印鑑を彫刻可能としてある。
【考案の効果】
【０００６】
本考案の印鑑ケースは、グリップエンド形状を有する野球のバットに近似させた形状からなり、先端に開口部を有する印鑑収納空所を設けたケース本体と、上記開口部を開閉可能に閉じるキャップとからなるから、外観が野球用バットのミニチュアに見え、印鑑ケースに見えず、印鑑の盗難にあい難く、印鑑を悪用されるおそれもなく、小型であるから携帯にも便利であるという効果がある。
【０００７】
上記キャップの内側に朱肉を設けてあるから、印鑑と朱肉を常に一緒にすることができ、常に朱肉を付けて押印できるという効果がある。
上記ケース本体のグリップエンド表面に印鑑を彫刻可能としてあるから、また、上記キャップの表面に印鑑を彫刻可能としてあるから、２個又は３個の印鑑とすることができ、目的、用途に応じて使い分けることができる効果がある。
【考案を実施するための最良の形態】
【０００８】
図面に示した好ましい実施例により本考案の詳細を説明する。
図中符号１がケース本体で、このケース本体１は基端にグリップエンド２の形状を有し、先方にゆくに従って太くなる野球のバットの形状に近似させた形状に構成してある。このケース本体１には、先端に開口部４を有する印鑑収容空所３を形成してあり、この印鑑収容空所３中に印鑑５を収容する。上記開口部４を開閉可能に閉じることができるキャップ６を設けてある。このキャップ６は嵌め込み式であっても捻子止め式であってもよく、このキャップ６の内側に朱肉７を設けてある。
【０００９】
上記ケース本体１及びキャップ６は、上記グリップエンド２の表面及びキャップ６の表面に印鑑を彫刻することができる材料により構成してあり、従来印鑑用の材料として使用されている材料であれば、金属でも合成樹脂でも木材でも何でもよい。
【００１０】
上記の通りの構成からなる本考案印鑑ケースであれば、外観が印鑑ケースに見えないという利点があり、小型であるから携帯にも便利である。
【図面の簡単な説明】
【００１１】
【図１】本考案印鑑ケースの分解斜視図。
【図２】本考案印鑑ケースの断面図。
【符号の説明】
【００１２】
１  ケース本体
２  グリップエンド
３  印鑑収納空所
４  開口部
５  印鑑
６  キャップ
７  朱肉
【図１】
0003106494.tif 000003
【図２】
0003106494.tif 000004